(57)【特許請求の範囲】
【請求項１】
折畳み可能な細長い取っ手手段（８）と、その先端にあって、容器（１０）を支持する容器支持手段（９）と、糞堆積物（３２）を受けるための容器（１０）とからなる動物の糞コレクター器具（１）であって、
容器（１０）は、該器具（１）の展開状態において、上向きの堆積面（１６）を有しており、
細長い取っ手手段（８）および容器支持手段（９）は、空の状態と、糞を入れた状態とで該容器（１０）を支持するように形成および配置され、
細長い取っ手手段（８）、容器支持手段（９）および容器（１０）は、該器具（１）の折畳み状態で非常にコンパクトなポケット収容可能型に折畳み可能になるように、そして、該器具（１）が展開された空の状態では実質的に自立の状態に展開可能になるように、形成および配置され、
該器具（１）は、軽量型構造になっていて、取っ手手段（８）および容器支持手段（９）が、少なくとも該器具の使用時において、該取っ手手段（８）と空の状態の容器（１０）によって生ずる回転モーメントに片持ち支持で十分に耐える程度に、荷重を支持し得るように形成および配置されており、このため、該器具（１）の使用時には動物の肛門のほぼ下に位置する地面の糞受取り位置へ空の容器（１０）を実質的に確実に遠隔操作することが可能となっており、
該取っ手手段（８）および容器支持手段（９）は、引張り強度、実質的に制限された剛性および軽量構造とを有するような形成および配置されており、これにより、非常にコンパクトなポケット収容型への折畳みが最大限に可能となり、器具（１）の簡便かつ経済的な廃棄が容易となり、かつ、該取っ手手段（８）および空の状態の容器（１０）によって生ずる回転モーメントを片持ち支持で耐える程度に、荷重を支持し得るようになっている一方、糞の入った状態の容器（１０）によって生ずる回転モーメントに対しては片持ち支持で耐えるには実質的に不十分となっているが、該器具（１）の使用時に際しては、糞の入った状態の容器（１０）が該取っ手手段（８）に着実に吊り下げられ、糞の入った容器（１０）を廃棄場所へ運搬しうることを特徴とする動物の糞コレクター器具。
【請求項２】
実質的に折畳み状態から、実質的に自立の状態へ拡張可能な請求項１に記載の動物の糞コレクター器具。
【請求項３】
第１の非常にコンパクトなポケット収容可能の折畳み状態から、糞堆積物（３２）を収容するための展開状態で、上向きに堆積面（１６）を有するように容器を支持する第２の実質的に自立の状態に展開可能な構造体からなる動物の糞コレクター器具（１）であって、該器具（１）を支えるために大体剛直な細長い取っ手手段をその先端で連結するように形成および配置される連結手段（３４）を有しており、前記構造体が折畳み状態から実質的に自立の状態に拡張されるように形成および配置され、これにより、使用中、該器具（１）が拡張し、糞堆積物（３２）の収集のため、動物の排便位置の下でかつ相対する地面に位置する容器（１０）と大体剛直な細長い取っ手手段（８）が連結され、器具（１）の使用時で糞の入った状態で該容器（１０）が該取っ手手段に保持されるように吊り下げられることを特徴とする動物の糞コレクター器具。
【請求項４】
詰め込み済みの容器（１０）の中身（３２）を守るために形成および配置された遠隔操作可能な容器安全手段（２４）を含む請求項１〜３のいずれかに記載の動物の糞コレクター器具。
【請求項５】
遠隔操作可能な容器安全手段（２４）は、拡張可能な容器（１０）の中身（３２）を覆って容器の縁部（９）を引き締めるように細長い取っ手手段（８）、容器支持手段（９）および容器（１０）とともに形成および配置された締め紐の形の閉塞手段からなる請求項４に記載の動物の糞コレクター器具。
【請求項６】
細長い取っ手手段（８）が、折畳み状態から実質的に自立の状態に拡張するように形成および配置されている請求項１、２、４、５のいずれかに記載の動物の糞コレクター器具。
【請求項７】
容器（１０）に支持手段（９）が設けられ、該支持手段（９）は、該器具の折畳み状態から実質的に自立の状態に拡張可能で、かつ、器具（１）の展開状態における容器（１０）を開口状態に支持するように形成および配置されている請求項１〜６のいずれかに記載の動物の糞コレクター器具。
【請求項８】
細長い取っ手手段（８）、容器支持手段（９）および容器（１０）は、非常にコンパクトなポケット収納形にコイル状に巻き上げられるように実質的に柔軟に形成されている請求項１、２、４〜７のいずれかに記載の動物の糞コレクター器具。
【請求項９】
細長い取っ手手段（８）または細長い取っ手手段（８）用の連結手段（３４）と堆積面（１６）が、互いに方向づけられていて、堆積面（１６）が地上に大体水平におかれたとき、細長い取っ手手段（８）が大体垂直に上方へ伸びる請求項１〜８のいずれかに記載の動物の糞コレクター器具。
【請求項１０】
器具（１）が単一の細長い拡張可能なチューブ（２）を有し、該チューブ（２）は細長い取っ手手段（８）と容器（１０）のための容器支持手段（９）を形成し、細長い拡張可能なチューブ（２）の端部（４、６）が互いに隣接し、弁手段（２０）を備えている請求項１、２、４〜９のいずれかに記載の動物の糞コレクター器具。
【請求項１１】
細長い取っ手手段（８）の基部あるいは細長い取っ手手段（８）用の連結手段（３４）の近くに、使用者の足の下側に係合する足係合部（３０）を設けた請求項１、２、４〜１０のいずれかに記載の動物の糞コレクター器具。
【請求項１２】
細長い取っ手手段（８）が、弾性的に歪み可能な細片を有し、該細片は通常の休止状態では実質的にコイル状の形をとる傾向にあり、これにより取っ手手段が折畳み状態から展開状態にほどかれない請求項１、２、４〜１１のいずれかに記載の動物の糞コレクター器具。
【請求項１３】
細長い取っ手手段（８）が複数の分裂した細長い部分からなり、該部分は、端と端を相互接続し、隣り合う部分に対して関節状態に形成配置され、片持ち支持となるために、各部分は、隣接部の下側に部分的に伸びている請求項１、２、４〜１１のいずれかに記載の動物の糞コレクター器具。
【請求項１４】
細長い取っ手手段（８）は、複数の部分からなり、折畳み状態から展開状態に拡張するために、該部分は、入れ子式に相互接続されている請求項１、２、４〜１１のいずれかに記載の動物の糞コレクター器具。
【請求項１５】
容器には、弾性ループ部材が設けられ、該弾性ループ部材は、第１の格納位置から、容器の支持のために、第２の支持位置に展開可能である請求項１、２、４〜１４のいずれかに記載の動物の糞コレクター器具。
【発明の詳細な説明】
本発明は、犬の糞をとらえて、収容するための器具に関する。
動物は、通常どこに排便するか特定できない。町の道路、公園および歩道のどこでも、特に、犬の排泄物で汚れている。それは、醜く、不衛生、不便であり、犬の場合、人間に感染するトクソカラ（toxocala）のような危険な病気を宿す。動物、特に犬の糞の収容および処理は、以前に提案され、たとえば米国特許第４４６６６４７号（Spevak）、米国特許第３９７７４２２号（Cabaluna）、米国特許第４００３５９５号（Fado）およびＧ２２１８８９６（Yoshioka）に開示されている。ＦＲ−Ａ−２４４４７５２に開示されたものを含めて上記の器具は、かさばり、複雑な使用、糞汚染の危険、費用問題あるいは、単にそれらの器具は犬および犬の所有者による使用に実用的ではないことを含んだ様々の理由のため不満足であることが証明されている。
上記の１つあるいはそれ以上の不便をさけるため、あるいは最小化するため、犬の所有者が、利用できる器具を供給することが本発明の目的である。
本発明は、折り畳み可能な細長い取っ手手段と、その末端にあって、該器具の展開状態において、糞堆積物を収容するために、上向きの堆積面を有する容器からなる動物の糞コレクター器具を提供する。細長い取っ手は、空の状態と、糞を入れた状態とで該容器を支持するように形成・配置され、細長い取っ手手段と容器手段は、該器具の折り畳み状態で非常にコンパクトなポケット収容可能型に折り畳み可能になるように、そして、該器具の展開状態では自立状態に展開可能になるように、形成・配置される。
該器具は、その使用中に、動物に対し糞受け取り位置に対し該容器を本質的に確実に遠隔操作可能にして、空の状態の容器の上向き堆積面を片持ち支持するのに充分な剛性を有するように取っ手手段が形成・配置されるようにして、軽量型構造としている。そして、該器具は、以下の特徴を有する。すなわち、該取っ手手段は、糞が入った状態の該容器の片持ち支持には実質的に不十分であるが、該器具の容易および経済的廃棄の実現のために、実質的に抑制された剛性と軽量構造を有するように形成・配置されていること、および容器が取っ手手段に確実に接続していることで特徴づけられる。
好ましくは、糞堆積物を収容する該容器は、実質的に折り畳み状態から、該糞堆積物を収容するために器具の展開状態で、上向きに堆積面を形成する実質的に自立型の展開状態に、それ自体展開可能である。したがって、非常に軽量に製造され、また、動物の肛門に大体適切に空の容器を配置させ、また、導くように作られる。糞堆積物が容器に入ると、容器は、かなり重くなる。この段階で、容器の方向調整は必要なく、都合のよい方法で器具を運ぶことだけで充分である。これは、充分に張力がある非常に軽量な取っ手、および／あるいは、他の支持手段で達成することが可能である。同じ重量の器具を運ぶために剛性（たとえば、てこ）に依存する剛直な取っ手より、ずいぶん軽量な構造で達成することが可能である。このように、本発明の器具は、周知の器具より非常にコンパクトに製造でき、更に容易にポケット収容可能な構造が可能である。
もう一つの特徴では、本発明は、器具が第１の非常にコンパクトなポケット収容可能な折り畳み状態から、第２の実質的に自立の状態、すなわち、糞堆積物を収容するための展開状態で、上向きに堆積面を有するように容器を支持する状態に拡張可能な構造からなる動物の糞コレクター器具を供給する。さらに、該器具は、末端に該容器を支えるため、大体剛直な細長い取っ手と連結するように形成および配置される連結手段を有し、使用中、該器具が、拡張し、糞堆積物の収集のため、犬の排便位置の下に位置する容器と多少とも剛直な細長い取っ手とを連結することができる。
本発明に関するコレクター器具は、簡単に衛生的および便利な方法で、犬糞を収集し、保有し、処分することができる。
好ましくは、本発明の特徴において、器具は、廃棄場への器具の移送の間、収容済み容器の中身を守るための容器安全手段を含む。望ましくは、該容器安全手段は、遠隔的に操作できる。
適当な安全手段は、蓋のような閉鎖手段、あるいは、特に実質的に柔軟な薄板材質の容器の場合、中身を覆って容器の縁あるいは支持手段をしっかりと引き締める締め紐などが含まれる。好ましくは、容器の該縁には、器具の該展開状態で、該容器を開放状態に支持し、実質的に自立の状態に形成され、配置される支持手段を設けてある。該容器支持手段は、器具の折り畳み状態で、実質的に非常にコンパクトなポケット収容可能に一緒に折りたためるように該取っ手手段と共に形成され、配置される。
好ましくは、該コレクター器具の該折り畳み可能な細長い取っ手および該容器支持手段が、該折り畳み状態から、コレクター器具全体が拡張により展開されるように、実質的に自立の状態に拡張するよう形成され、配置される。代替的に、空の容器を末端に支える該展開状態の時、該容器支持手段だけが拡張可能で、細長い取っ手手段は、少なくともわずかに剛直の部材で軽量な形にする。
このように、該軽量の部材は、たとえば、折り畳み量が多いか少ないかで、入れ子式および／または蝶番付きのように形成され、配置される。自体および空の軽量容器を支持するため充分な剛性を有する様々な軽量部材は、たとえば、通常、端と端をつないで相互に連結する複数の分裂した細長い部分からなる複合形や区分形の細長い部材を使用し、隣接部に関して関節連結するように形成し、配置する。好ましくは、各それぞれの部分の長さは、該容器から離れた位置方向に増加する。すなわち、各相互連結において、片持ち支持を提供するため、２つの隣接する部分の長い部分は、隣接する短い部分の下側に部分的に伸びる。したがって、この部材は、折り畳み状態から自立の状態に開かれる。代替的に、該軽量部材は、入れ子式に相互連結する複数の部分から成ってもよい。望ましくは、該軽量の部材が、薄板のプラスチック、積層紙／カード型細片のような適当に固い軽量の材質から製造されてもよい。それらの構造の一定の重量に対して堅さを増すためチャネル型とするのが都合良い。
もう一つの特徴において、本発明は、折り畳み状態から実質的に自立の状態に展開可能で、糞堆積物を収容するための展開状態において、上向きに堆積面を有する容器を末端に支持する細長い取っ手手段を有する構造を含む拡張可能な動物糞コレクター器具を提供する。好ましくは、拡張可能な器具は、使用時に該容器の内部に、糞堆積物を包むように形成され配置された遠隔操作可能の閉鎖手段を有する。使用時に、該器具は拡張され、該容器は、糞堆積物の収集のための排便位置の犬の下に配置される。そして、容器の中身を実質的にカバーして中身を密封するために閉鎖手段を操作することができる。したがって、それらは安全に、衛生的に処分される。
好ましくは、該細長い取っ手手段、および望ましくは、該容器支持手段は、非常にコンパクトなポケット収容可能型にするため、コイルのように巻き上げられるように実質的に柔軟に形成され、配置される。
代替的に、該細長い取っ手手段、および望ましくは、該容器支持手段は、たとえば手風琴型に、非常にコンパクトなポケット収容可能型に折り込むため、実質的に柔軟に形成され、配置される。望ましくは、使用前の該器具を実質的に非常にコンパクトなポケット収容可能型に維持するため解除可能な手段たとえば粘着性の細片を設ける。
好ましくは、拡張可能な容器あるいは拡張可能な器具の製造において、軽量で、柔軟な、耐水性の材質が利用される。たとえば、ポリ塩化ビニル、ポリアミド、ポリアルケン、たとえば、ポリエチレン、特に高密度ポリエチレンのようなプラスチック薄板材がある。代替的に、防水紙、たとえばパラフィン紙が利用できる。本発明に従うと、非常にポケット収容可能な軽量型の器具が提供される。すなわち、１５〜３０ｇ程の軽さ、たとえば約２０ｇで、折り畳んだときに、約４×４×３ｃｍ程の小さなサイズにもなり、展開するとき、約６０ｃｍの取っ手の長さに容易に拡張し、約１リットルの３／４、あるいはそれ以上になるような容器容量となる。
望ましくは、糞堆積物が入った閉じた容器の環境的に許容し得る処分を容易にする生物分解可能な材料が利用される。該材質が、有害な臭気をできるだけ除去するために、防臭剤、とくに湿気活性化された防臭剤を設けることがよい。該材料は、暗くなってからの使用において、安全性を増すため、器具の名称（あるいは他の製品）を目立たせる印を付し、あるいは発光および／あるいは反射性印を設ける。
前記器具の拡張可能な細長い取っ手手段あるいは容器支持手段の場合、これは、使用者（犬所有者）によって、該自立状態に展開され、適切で、一般的な逆止弁手段により、取っ手手段あるいは容器／支持手段のための構造的な支持となるように器具の隔室に空気を吹き込む。代替的に、作動したとき、該適切な“逆止弁”によって、器具の拡張可能な取っ手および／あるいは容器支持手段を拡張するため、圧縮ガスで満ちたカートリッジあるいはシリンダーのような少量ガス供給手段を形成配置できる。都合よいには、該ガス供給手段は、拡張するために該器具に接続するとき、器具上に備えられるべき別個の逆止弁の必要性を排除する該“逆止弁”としての役割をはたすため使用される。
器具の使用中および糞堆積物の収集において、該ガス供給手段は、器具が縮小し、処分されるのを可能にするため器具から除去される。
拡張可能な器具の場合、該バルブは、取っ手の隣接端に、すなわち該取っ手のグリップに位置するのが好ましい。該バルブは、堆積物の処分目的のため該拡張器具／容器を実質的にコンパクトな形に縮小させて戻すことを可能にするため、簡単に取り外し可能にできる。代替的に、圧力開放位置を有するバルブ手段を備えおよび／あるいは別個の圧力安全弁を備えることにより前記器具／容器を縮小できる。
好ましくは、コレクター器具の細長い取っ手手段および／あるいは該容器支持手段は、器具が必要になるときまで、犬所有者のポケットやバックに都合良く保有できる小型の目立たないパッケージに折り込まれ、あるいは望ましくは巻き上げられて、折り畳み状態に形成され、配置される。
該器具が巻き上げられるとき、該細長い取っ手手段は、通常の休止位置で実質的にコイル化形態を採ろうとする、弾力的で変型可能なプラスチック細片の様な自動コイル化機能を与えられる。
拡張可能な細長い取っ手を有する本発明の器具の場合、該拡張可能な細長い取っ手とは離れた連結手段が設けられる。該連結手段は、たとえば、風の強い状態で、該拡張可能な取っ手手段および／あるいは該容器を使用するとき、支持を強力にするために、該拡張可能な取っ手手段の展開状態において、細長い杖のように多少は堅い補助支持部材と取り外し可能に接続するように形成され、配備される。
本発明の器具の場合、全体的に剛直な細長い取っ手手段との連結手段を拡張可能な容器支持手段が有し、該連結手段は、杖のような細長い、多少とも剛直な支持部材の端に取り外し可能に連結するように形成および配置されたソケットを含むのが都合よい。
好ましくは、本発明の両特徴において、該細長い取っ手手段および該堆積面は、互いに角度をなす。したがって、該堆積面が地上に、大体水平に置かれたとき、最も都合の良いのは、垂直方向から約０〜３０度で該細長い取っ手手段が実質的に上方に延長する。したがって、犬所有者が展開器具を持つとき、体を曲げる必要はそれほどない。利点としては、本発明の両特徴によると、堆積面およびその上の糞とコレクター器具の細長い取っ手手段のハンドグリップ部分の間の距離は、糞を収容する容器と使用者が接触する危険をできるだけ減らすため最大にする。
好ましくは、該展開状態の時、該堆積面は５〜３０ｃｍ、望ましくは、１０〜２０ｃｍの直径を有するが、サイズや形状は、犬の大きさや一般的に犬の排出する糞堆積物に大きく依存する。堆積面のいろいろな形は、たとえば、円形、卵形、三角形あるいは扇形が使用される。
本発明の１つの特徴である拡張可能なコレクター器具は、該細長い取っ手手段および該容器手段の支持手段を形成する単独の細長い拡張可能チューブを含む。該細長い拡張可能チューブは、端部が互いに隣接し、バルブ手段を有する。望ましくは、中身の入った容器を保護するための安全手段は、該細長いチューブを通って該バルブに接続される締め紐の形であり、該バルブが（使用後の器具の縮小を可能にするため）除去されるとき、該バルブの除去で、該締め紐の両端を引き、堆積面を覆う容器の縁を引っ張り、これにより該堆積面上の糞堆積物を包む。
閉鎖手段は、他の形では、粘着性の細片、ひもあるいはリブ、フックおよびループタイプのファスナー、あるいはその他の手段を含み、これらは、該容器の中の糞堆積物を包囲し、好ましくは、密閉するため、閉鎖位置にて容器の向かいあう壁手段を一緒に引くようにおよび／あるいは閉鎖パネルやはねぶた手段を確保するように形成され、配備されている。
好ましくは、該細長い取っ手手段の基部に、該容器に隣接して、地面から上に容器の縁を引き上げるため、使用者の足の底面と係合する足係合部を備える。したがって、閉鎖手段は、容器の縁を引くように作動したとき、容器の中心部にある糞堆積物上で閉まる。
望ましくは、該足係合部は、使用者の足の底面のグリップをさらに確実にするために、粗い表面構成を有し、したがって、足係合部は張力状態の時、使用者の足の下から抜けることに抵抗する。
最も好ましくは、該足係合部は、容器の堆積物を収容した後、使用者が片足を置く末端部を有する多少とも短い（たとえば５〜３０ｃｍ、望ましくは１０〜２０ｃｍ）革ひも部分により、細長い取っ手手段の基部に連結する。したがって、細長い取っ手手段を引っ張ったとき、容器の縁は、糞堆積物上で容器を閉めるために、容器の縁を内部方向に引くために閉鎖手段の締め紐を引く前に、地面より上に引きあげられる。
代替的に、該容器は該第一の折り畳み状態から第二の実質的に自立の状態に展開する袋を提供する。該容器支持手段は、第一の細長い格納位置から該袋を支持するための第二の支持位置に展開する弾力ループ部材の形をとる。該袋は堆積表面の下にポケット手段などを有し、展開支持位置において、該ループ部材が該ポケット手段の中に延長する。
本発明の更に好ましい特徴と利点は、添付の図面に関して、図示されたいくつかの実施例によって次の詳細な説明に説明される。
図１は、巻き上げられた状態の犬糞コレクター器具の斜視図；
図２は、拡張された自立状態における、図１に示された器具の前面図である；
図３は、２に示された器具の側面図である；
図４は、半分縮小された状態にある使用の後の器具の側面図である；
図５は、本発明によるコレクター器具の第２実施例の側面図である；そして
図６は、本発明の使用のための２つの異なる折り畳み可能な細長い取っ手手段を示す。
図１は、参照番号１が指す本発明の犬糞コレクター器具を示す。図１で示すように本器具は、巻き上げられた貯蔵状態になるので、犬所有者のポケットなどに容易に収まって、拡張する準備状態にある。
さらに詳細には、本器具１の使用への拡張準備状態を図２に示す。該器具１の細長いチューブ２の２つの端部４および６が、容器１０を支持するための縁部９および細長い取っ手部８を形成する。容器１０は、上向き堆積面１６を有する袋１４を支持するために大体弓状に配置された細長いチューブ２の中心部１２を含む。容器１０は、約１１０℃の角度で取っ手８方向へ角度がついていて、柔軟な帯１８によってその位置に支持される（図３参照）。
取っ手８の端部において、一方向逆止弁２２を含む口金２０がチューブ２に固定されるので、器具１は、使用者が口金２０に空気を吹き込むことで、拡張する。締め紐２４の第一端２６が口金２０に接着され、該締め紐２４は細長いチューブ２のまわりを通過し、その第二端２８が口金２０に接着する。
取っ手部８は、たとえば、風の強い状態のとき、必要があれば、取っ手８に補足的な剛性をもたせるため、杖あるいは同様なもの（図示せず）を設置するよう配置した３つの柔軟な設置リング２９を有する。
図３に示すように、器具１は、締め紐２４を操作している間、器具を持ちこたえさせる手段を設けるため、器具１の後方から突出する足係合ひも３０を有する。
図４に関して、犬が容器１０に排便したとき、口金２０は取り除く。その間、使用者は、足係合板３０に片足を乗せることで、器具１を押さえる。口金が取り除かれるとき、チューブ２の中に含まれた空気は、端部から逃げ（矢印Ａに示す）、器具１は縮小する。その間、同時に締め紐２４は、袋１４の中身３２を覆って、内側に密封するようにチューブ２の中心部１２を一緒に引く。したがって、使用者は、器具１および中身を安全に衛生的に処分できる。このように袋の中身は、ぐにゃぐにゃになった取っ手８を持つ使用者から離れて、維持されることが理解できる。
図５に示される実施例は、拡張可能な取っ手部８がない点を除いて、図１〜４に関して記載された実施例と大体同じものである。細長いチューブ２は、袋１４を支持するために大体弓状に配置され、孔３４を有する。支持部材に容易に接続し、および切り離すため、たとえば、差込み、ねじ、摩擦押し込みばめ等（図示せず）各種の取付具を有してもよい。細長いチューブ２は、接合部３６を備えているので、袋１４は、バルブ２０が取り外され、締め紐が袋１４を密封するために操作されるとき、使用者がかがむ必要なしに、片足でもって支持部材から引き離されることができる。
いろいろな改造型が、本発明の範囲からはずれることなく、上記に説明した実施例から製造されることを認められるだろう。
このようにたとえば、図１と２において示される細長い取っ手部８は、単独の細長いチューブ２あるいは隣り合う複数の細長いチューブ２からなる。また、該取っ手部には、取っ手の折り畳み状態で、非常に小型のポケット収容可能状態に取っ手を維持するため、その不偏状態でコイル状になる縦延長の弾性細片を設けられる。そしてこの細片は、細長い取っ手手段の拡張でほどける。
図５に示す第２実施例の支持部は、たとえば、杖を含む適当なタイプでよい。好ましくは、該支持部材は、折り畳み可能で、少なくともある程度は入れ子式あるいはスナップ式のコイル化可能なプラスチック細片である。
図６は、折り畳める細長い取っ手手段の相異なる２つの実施例を示し、図５に関して説明した実施例の使用のための支持部材として、または図１〜４に関して上記に説明した拡張可能部材の代替用品として使用できる。
図６（ａ）は、折りたたみ状態における入れ子式の剛直な部材３８を示す。
部材３８は、直径が徐々に減少する４つのスリーブ４０からなるいろいろな長さの部材３８にするため、一般的に周知の方法において、他のスリーブの中に滑り込みあう。容器１０（部分的に図示）は、部材３８の一端に連結される。
図６（ｂ）は、剛直な部材３８の別の配置を示す。部材３８が、数個の部材４０（３部材のみ図示）からなり、各部材４０は関節４２で隣接部材にそれぞれ接続する。各部材４０は、容器１０（部分のみ図示）から離れる方向に長さが増大する。そして、各ヒンジ４２で、部材１０の長さに沿って同様に、支持となるため、２つ隣接部材要素４０の長い方が、隣接の短い方の部材要素の下側に重なり４４、部材全体は、容器１０を支持するため各隣接部材により支持される。部材要素４０は、短かい要素が、矢印「ａ」に示されるように、隣接する長い方の要素に折り曲げられ、順次、矢印「ｂ」「ｃ」に示されるように部材３８に沿って折り曲がる。したがって、部材は折り畳み状態に折り曲げられるように、配置される。
【図１】
0003684450.tif 000002
【図２】
0003684450.tif 000003
【図３】
0003684450.tif 000004
【図４】
0003684450.tif 000005
【図５】
0003684450.tif 000006
【図６ａ】
0003684450.tif 000007
【図６ｂ】
0003684450.tif 000008